(57)【要約】      （修正有）【課題】太陽からの直射日光が直接届かない場所の採光量を増やして明るくできる採光方法及び装置を提供する。【解決手段】構造物１１の上部に庇状に配置され、直射日光１２を拡散透過させながら供給する機能を有する板状の構造体及びこの膜構造体１３を支持する支持体１４とを具備することを特徴とする。【選択図】図２
2005085730.tif 000002
【特許請求の範囲】
【請求項１】
太陽光からの直射日光が直接届きにくい場所に、前記直射日光を少なくとも拡散透過させた拡散透過光を供給することを特徴とする太陽光の採光方法。
【請求項２】
前記直射日光による拡散透過光の他、天空光、樹木，建造物，地面等で反射した地物反射光を拡散透過させた拡散透過光を、太陽光からの直射光が直接届きにくい場所に供給することを特徴とする請求項1記載の太陽光の採光方法。
【請求項３】
請求項1若しくは請求項２いずれか記載の採光方法で使用される装置であり、構造物の上部に庇状に配置され、前記直射日光を拡散透過させながら供給する機能を有する板状の構造体及びこの構造体を支持する支持体とを具備することを特徴とする太陽光の採光装置。
【請求項４】
前記板状の構造体は、ガラスクロスにフッ素樹脂を被覆した膜構造体であることを特徴とする請求項３記載の太陽光の採光装置。
【請求項５】
前記板状の構造体の透過率は、７％以上であることを特徴とする請求項３もしくは請求項４記載の太陽光の採光装置。
【請求項６】
構造物の太陽光からの直射日光が直接届きにくい側に前記構造物に対して向き合って配置され、前記直射日光による拡散透過光を拡散反射させるとともに、上記構造物とは異なる他の構造物，樹木，地面で反射した地物反射光及び天空光を拡散透過させる機能を有した採光板を配置したことを特徴とする請求項３乃至５いずれか記載の太陽光の採光装置。
【請求項７】
構造物の各階の外側に、前記構造体から拡散透過した光及び採光板からの拡散透過光を各階の室内に採光する反射板を配置したことを特徴とする請求項３乃至５いずれか記載の太陽光の採光装置。
【発明の詳細な説明】
【技術分野】
【０００１】
本発明は、特に建物の北側等のように光が届きにくい場所に太陽光を採光するための太陽光の採光方法及び採光装置に関する。
【背景技術】
【０００２】
従来、住宅をはじめとする建築物は南側を主な採光面として設置する傾向にある。これは、南側から供給される豊富な太陽光を十分に利用するためである。その一方で、北側は、図１に示すように、建物１によって直接光２が遮られるので、建物１の北側部分は日陰３となり、暗く陰うつなものであった。
【０００３】
しかし、都市部の高密度環境等では、立地条件や建物の構造によっては北側を主採光面とすることが避けられないことも多い。この場合、室内は直接光が到達せず、昼間は天空光の採光に限られ、人工照明の利用が不可欠であった。また、建物の北側に位置するエリアについても、建物の陰となっているため、光環境が良好とはいい難いものであり、スペースとして利用する場合は駐車場等に用途が限られていた。
【０００４】
そこで、室内の光環境を改善するために、トップライト、トップサイドライト、出窓、窓の形や位置などを検討し昼光が室内へと導入できるような工夫がなされている。
【０００５】
従来、太陽光を室内に導く太陽光採光装置としては、例えば特許文献１が知られている。特許文献1は、集光用のレンズと、円錐ロッドレンズと、光ファイバーとを集光部に配置して、レンズから光ファイバーに至る光経路が密室空間内に設けられているとともにレンズと円錐ロッドレンズ間の距離を調整する調整機構を備えたことを特徴とするものである。
【０００６】
また、上記した太陽光採光装置とは異なるが、従来、蛍光灯や白熱灯を光源とする照明器具のランプイメージを見えなくする、あるいは光源の眩しさを減少させる等の目的で、光透過率と光拡散率が大きく且つ透けの少ない耐熱性光拡散シートが提案されている（特許文献２）。特許文献２は、厚さ２〜５００μｍのフッ素樹脂シートと太さ２〜１０μｍで１００〜９００ｇ／ｍ２の目付きを有するガラス繊維シートをフッ素樹脂の融点以上の温度で加圧成形したガラス繊維強化フッ素樹脂複合材からなり、前記フッ素樹脂を適宜な工程で処理した照明器具用乳白色、耐熱性光拡散シートに関する。
【特許文献１】特開２００１−３０７５２２号公報（段落［００１４］〜［００１９］及び図１参照）。
【特許文献２】特開２００２−２２１６０９号公報（特許請求の範囲、段落［００２４］〜［００２７］等参照）。
【発明の開示】
【発明が解決しようとする課題】
【０００７】
しかしながら、窓の形や建物の配置を工夫した場合でも、これらは建物北側に降り注ぐ天空光の利用を促進するものであり、北面の窓からの採光量は南面と比較すると少なく、北側エリアや室内北側は暗い感じとなっていた。
【０００８】
本発明は上記事情を考慮してなされたもので、太陽光からの直射日光が直接届かない場所に、前記直射日光を少なくとも拡散透過させた拡散透過光を供給することにより、太陽からの直射日光が直接届かない場所の採光量を増やして明るくできる太陽光の採光方法を提供することを目的とする。
【０００９】
また、本発明は、前記採光方法で使用される装置であり、構造物の上部でかつ太陽光からの直射日光が直接届かない側に庇状に配置され、前記直射日光を拡散透過させながら供給する機能を有する板状の構造体及びこの膜構造体を支持する支持体とを具備した構成にすることにより、上記と同様に採光量を増やして部屋を明るくできる太陽光の採光装置を提供することを目的とする。
【課題を解決するための手段】
【００１０】
本願第1の発明に係る太陽光の採光方法は、太陽光からの直射日光が直接届きにくい場所に、前記直射日光を少なくとも拡散透過させた拡散透過光を供給することを特徴とする。
【００１１】
本願第２の発明に係る太陽光の採光装置は、前記採光方法で使用される装置であり、構造物の上部に庇状に配置され、前記直射日光を拡散透過させながら供給する機能を有する板状の構造体及びこの膜構造体を支持する支持体とを具備することを特徴とする。
【発明の効果】
【００１２】
本発明によれば、太陽光からの直射日光が直接届きにくい場所に、前記直射日光を少なくとも拡散透過させた拡散透過光を供給することにより、太陽からの直射日光が直接届かない場所の採光量を増やして明るくできる太陽光の採光方法を提供できる。
【００１３】
また、本発明によれば、構造物の上部でかつ太陽光からの直射日光が直接届きにくい側に庇状に配置され、前記直射日光を拡散透過させながら供給する機能を有する板状の構造体及びこの膜構造体を支持する支持体とを具備した構成にすることにより、上記と同様、採光量を増やして部屋を明るくできる太陽光の採光装置を提供できる。
【発明を実施するための最良の形態】
【００１４】
以下、本発明について更に詳しく説明する。  
本発明において、板状の構造体は、構造物の上部でかつ主として太陽光からの直射日光が直接届きにくい側（北側等）に庇状に配置されるが、これに限らず、南側等に庇状に配置してもよい。また、板状の構造体としては、例えばガラスクロスにフッ素樹脂ディスパージョンを含浸、乾燥、焼成することによってフッ素樹脂を被覆した膜構造体、アクリル板、ポリカーボネート板、塩化ビニル板等の有機材料、ガラス板、ガラスクロス等の無機材料が挙げられる。前記構造体としては、光を拡散する機能を有していれば特に制約はないが、光の透過率が悪いと十分な光が得られない。前記透過率は少なくとも７％以上であることが必要であるが、光の拡散性及び構造体の強度の点から７〜５０％とすることが好ましい。
【００１５】
即ち、例えば、ガラスクロスなどの基材に樹脂層を被覆した構造体の場合、膜の透過率は素材特性及び膜厚による素材特性を一定とすれば、全体に膜厚を薄くすることで透過率を上げることになる。しかしながら、膜厚を薄くすると、素材としては透明に近づくことになるが、これにより直線的に透過する光が多くなり拡散光が少なくなる。
【００１６】
本発明の構造体による採光システムの原理は、特に建物北側に直線的に通過する太陽光を構造体の透過時拡散性によって方向を変え採光を得るということを太陽光利用の第１段階とするものであり、透過率が高くなるとシステムの目的と合致しないことになるので透過率の設定には自ずと上限が考えられる。また、構造体の強度や耐候性といった面でも膜厚の低減には限界があり、現状の技術的条件から見ると、概ね透過率は５０％程度が限界と考えられる。
【００１７】
本発明において、前記構造体の他、構造物の太陽光からの直射日光が直接届きにくい側に前記構造物に対して向き合って配置され、前記直射日光による拡散透過光を拡散反射させるとともに、上記構造物とは異なる他の構造物，樹木，地面で反射した地物反射光及び天空光を拡散透過させる機能を有した採光板を配置することが好ましい。ここで、「拡散透過光」における「拡散透過」とは、放射源からの放射や光源からの光が、微小な粒子を含む物体内を通過する場合等で、全体的にみたとき屈折の法則に従わないで、放射や光が拡散している状態の透過を意味する。「地物反射光」とは、上記構造物とは異なる他の構造物，樹木，地面で反射した光を意味する。「天空光」とは、太陽からの放射のうち、空気分子、塵埃、雲などによって散乱・反射して、天空から地上に到達する可視光線を意味する。
【００１８】
ところで、前記天空光の輝度分布は、太陽の位置と大気の状態に大きく左右されるために、通常は非常に複雑になる。しかし、実用的には、晴天時、曇天時とも天空輝度分布を一様として仮定する。そして、室内の照度は、屋外の昼光照度の変動に従って変化するので、昼光設計を行う場合、室内のある点の照度と、屋外の全天空照度の比率である昼光率を指標するのが普通と言われている。ここで、「昼光率」とは屋外照度に対する室内照度の比率を示し、屋外照度に関わらず一定の数値となる。つまり、屋外が明るくなれば室内も明るくなり、屋外が暗くなれば室内も暗くなる。
【００１９】
そこで、前記昼光率と設計用全天空照度を目的に応じて使用することにより、昼光設計が行われる。ここで、設計用全天空照度は、特に明るい日（薄曇、曇の多い晴天）時は５０，０００（ｌｘ）であり、快晴の晴天時は１００，０００（ｌｘ）と言われている。昼光率は下記式（１）で定義されている。  
昼光率＝ある点の照度／その時の全天空照度      （１）
ここで、「ある点の照度」とは、室内の対象とする受照面（室内の中庭などであってもよい）の照度を意味する。「その時の全天空照度」とは、対象とする点を取り囲む天井・壁をはじめ建物やその他の障害物を全て取り去ったときの全天空照度を意味する。なお、「ある点の照度」、「その時の全天空照度」ともに直射日光は含まない。
【００２０】
また、労働安全衛生規則の第４章、第６０４条には「採光及び照明」に関する規定があり、作業の区分により労働者が常時就業する場所の作業面の照度が規定されている。具体的には、作業場での照度は、作業区分が精密な作業の場合は３００（ｌｘ）以上、普通の作業の場合は１５０（ｌｘ）以上、粗な作業の場合は７０（ｌｘ）以上と定められている。
【００２１】
本発明において、建造物の各階の外側に、前記膜構造体から拡散透過した光及び採光板からの拡散透過光を各階の室内に採光する反射板を配置することが好ましい。これにより、前記膜構造体から拡散透過した光及び採光板からの拡散透過光が反射板で反射するので、各階の室内に光を一層取り入れることができる。
【００２２】
（第１の実施の形態）  
図２を参照する。この形態は、建造物（構造物）１１の上部でかつ主として太陽光からの直射日光１２が直接届かない側（例えば北側）に、板状の膜構造体１３が庇状に配置され、この膜構造体１３を支持体１４で支持する場合を示す。ここで、前記膜構造体１３は前記直射日光１２を拡散透過させて、拡散透過光１５を膜構造体１３の下側に供給する機能を有する。前記支持体１４は、膜構造体１３を支持する機能を有すれば、建造物１１の屋上に固定された単なる台等でも良く、特に限定されない。
【００２３】
（第２の実施の形態）  
図３を参照する。この形態は、建造物１１の上部でかつ主として太陽光からの直射日光１２が直接届かない側（北側）に板状の膜構造体１３が支持体１４に支持されて庇状に配置されるとともに、北側に採光板１６が配置される場合を示す。ここで、採光板１６は、前記建造物１１に対して向き合って、図３のように傾斜して配置されていてもよいし、あるいは略垂直に配置されていてもよい。前記採光板１６は、直射日光１２による拡散透過光１５を拡散反射させるとともに、上記建造物１１とは異なる他の建造物，樹木，地面で反射した地物反射光（図示せず）及び天空光１７を拡散透過させる機能を有している。前記採光板１６の材料は、前記膜構造体１３と同じ材質でも異なってもよい。なお、図３中の符番１９は、膜構造体１３からの拡散透過光１５が採光板１６で反射した拡散反射光を示す。
【００２４】
（第３の実施の形態）  
図４を参照する。この形態は、上述した膜構造体１３、採光板１６の他、建造物１１の各階の外側に、前記膜構造体１３から拡散透過した拡散透過光１５、採光板１６からの拡散透過光１８及び採光板１６で反射した拡散反射光１９を各階の室内に採光する反射板２０を配置した構成になっている。
【００２５】
（第４の実施の形態）  
図８を参照する。この形態は、図７に示すようにベランダに目張りされた手すり２１が設けられている場合において、図８に示すように、板状の膜構造体１３が建造物１１の南側でかつ建造物上部と手すり２１間に庇状に配置される場合を示す。図７においては、前記手すり２１により日陰となる部分２２が生じるが、膜構造体１３の採用により、直射日光１２が膜構造体１３を通り抜けて拡散透過光１５となり、日陰の部分が解消される。
【００２６】
（実施例）  
以下、本発明の各実施例１〜３及び比較例１〜５について説明する。但し、本発明の権利範囲これらによって限定されるものではない。  
本実施例では、図５に示すように、実際の建物を模した木箱３１を作成するとともに、木箱３１の上に光源としての出力５００Ｗのハロゲンライト（商品名：ビデオライト１５００（スタンド）、ＬＰＬ社製）３２を配置した例を示す。また、木箱３１の北側寄りの屋上には、図３と同じように、膜構造体１３と採光板１６を配置した。ここで、本実施例に係る膜構造体１３及び採光板１６の材質としては、いずれもガラスクロスにフッ素樹脂ディスパージョン（型式：ＦＧＴ８００，ＦＧＴ６００，ＦＧＴ２５０、中興化成工業（株）製）を含浸、乾燥、焼成することによってフッ素樹脂を被覆した膜構造体を用いた。
【００２７】
また、図５において、木箱３１の高さ（Ｈ１）を９１７ｍｍ、木箱３１の上部から膜構造体１３の上部までの高さ（Ｈ２）を１５０ｍｍ、木箱３１の上部からハロゲンライト３２のトップまでの高さ（Ｈ３）を７００ｍｍ、２Ｆの床から天井までの高さ（Ｈ４）を１５０ｍｍ、膜構造体１３の長さ（Ｌ１）を４４５ｍｍ、採光板１６の長さ（Ｌ２）を１０５８ｍｍ、採光板１６の根元から木箱３１の左端までの距離（Ｌ３）を５５０ｍｍ、木箱３１の右端からハロゲンライト３２の中央部までの距離（Ｌ４）を４６０ｍｍとした。
【００２８】
更に、木箱３１の各諧での照度は、例えば図６に示すように、照度計測器３３を設置することにより計測した。
【００２９】
このようにして、木箱３１の上部のハロゲンライト３２から膜構造体１３へ光を照射したところ、木箱の１Ｆ〜５Ｆにおける照度と測定位置との関係を示す関係は図９〜図１３に示すようになった。なお、図中の「ＦＧＴ800／ＦＧＴ800」（直線（ａ）：実施例１）は膜構造体に使用の膜材と採光板に使用の膜材がともにＦＧＴ800であることを示し、「ＦＧＴ600／ＦＧＴ600」（直線（ｂ）：実施例２），「ＦＧＴ250／ＦＧＴ250」（直線（ｃ）：実施例３）も同様に解釈する。また、「ＦＧＴ800／なし」（直線（ｄ）：比較例１）は膜構造体に使用の膜材がＦＧＴ800であるとともに、採光板を設置しない場合を示し、「ＦＧＴ600／なし」（直線（ｅ）：比較例２），「ＦＧＴ250／なし」（直線（ｆ）：比較例３）も同様に解釈する。更に、「なし／なし」（直線（ｇ）：比較例４）は膜構造体と採光板を設置しない場合を示し、「塩ビ／塩ビ」（直線（ｈ）：比較例５）は膜構造体と採光板がポリエステルクロスと塩化ビニルより成る膜材構造体の表面にポリふっ化ビニリデン処理したもの（型式：ＦＥ−１００２Ｔ、フェラリー社製）からなる場合を示す。
【００３０】
また、図９〜図１３において、測定位置は木箱３１の左端を０ｍｍとし右端に向かう（奥行方向）につれて距離が増えるものとしている。
【００３１】
図９〜図１３より、次の点が明らかである。  
（１）測定位置により若干変動するが、本実施例の場合、直線（ａ）〜（ｃ）の照度を比べると、直線（ａ）が一番小さく、直線（ｂ），（Ｃ）又は直線（ｃ），（ｂ）の順に照度が大きくなる。  
（２）実施例１〜３の場合は、比較例１〜５と比べて、各諧での照度が大きくなる。  
（３）各階での照度を比較すると、１Ｆより２Ｆというように階が上がるほど照度が大きくなる。
【００３２】
以上より、上記実施例によれば、建造物１１の屋上に庇状にガラスクロスにフッ素樹脂ディスパージョンを含浸、乾燥、焼成することによってフッ素樹脂を被覆した膜構造体１３を配置するとともに、建造物１１の北側に膜構造体１３と同材質の採光板１６を建造物１１に対して傾斜して配置することにより、膜構造体１１からの拡散透過光１５、該拡散透過光１５が採光板１６で反射した拡散反射光１９、及び採光板１６からの拡散透過光１８が建造物１１の北側面から照射されるので、従来と比べ建造物１１の内部への採光量を増やすことができる。
【００３３】
また、比較のため、膜構造体のみを用いた場合（図２の採光装置に対応）、膜構造体及び採光板を用いた場合（図３の採光装置に対応）の１Ｆ〜５Ｆにおける窓際から５０ｍｍの位置での照度を調べたところ、下記表１、表２に示す結果が得られた。但し、試験条件は、上述した図５のように出力５００Ｗのハロゲンライトを配置して行った。
【００３４】
ここで、表１は、膜構造体の材質がＦＧＴ２５０，６００，８００（夫々漂白のために加熱処理あり）及びＣ種膜材の場合であり、各材料の透光率は１９．６％，１７．４％，１１．６％，４．３％である。また、表２は、膜構造体及び採光板の材質が夫々ＦＧＴ−２５０，６００，８００（夫々漂白のために加熱処理あり）及びＣ種膜材の場合である。また、表１をグラフ化したのが図１４であり、表２をグラフ化したのが図１５である。
【表１】
2005085730.tif 000003
【００３５】
【表２】
2005085730.tif 000004
【００３６】
表１，２より、透過率が小さい場合（４．３％）は、労働安全衛生法の基準による粗な作業をする場合の照度さえも得られないが、透過率がある程度大きい場合（１１．６％以上）は、粗な作業をする照度は測定位置によって得られることが明らかである。
【００３７】
更に、（膜構造体、採光板）の材質が、（ＦＧＴ８００，ＦＧＴ８００）、（ＦＧＴ６００，ＦＧＴ６００）、（ＦＧＴ２５０，ＦＧＴ２５０）、（ＦＧＴ８００，採光板なし）、（ＦＧＴ６００，採光板なし）、（ＦＧＴ２５０，採光板なし）、（塩ビ，塩ビ）（Ｃ種）、（塩ビ，採光板なし）、及び膜構造体，採光板共になしの夫々の場合について、１Ｆ〜５Ｆの窓際から夫々０ｍｍ、２５ｍｍ、５０ｍｍ、…、３７５ｍｍ、４００ｍｍの距離にある地点の照度及び屋根上の照度を測定したところ、下記表３、表６、表９、表１２、表１５に示す結果（生データ）が得られた。なお、試験条件は、上述した図５のように出力５００Ｗのハロゲンライトを配置して行った。また、上記生データから下記式（２）に基づいて屋根上の照度を１００,０００ｌｘ（ルクス）、５０,０００ｌｘと仮定して照度（計算値）を求めたところ、下記表４、表７、表１０、表１３、表１６に示す結果（１００,０００ｌｘに対応）、及び下記表５、表８、表１１、表１４、表１７に示す結果（５０,０００ｌｘに対応）が得られた。  
計算値＝（各地点の照度／屋根上の照度）×100,000（又は50,000）    （２）
【表３】
2005085730.tif 000005
【００３８】
【表４】
2005085730.tif 000006
【００３９】
【表５】
2005085730.tif 000007
【００４０】
【表６】
2005085730.tif 000008
【００４１】
【表７】
2005085730.tif 000009
【００４２】
【表８】
2005085730.tif 000010
【００４３】
【表９】
2005085730.tif 000011
【００４４】
【表１０】
2005085730.tif 000012
【００４５】
【表１１】
2005085730.tif 000013
【００４６】
【表１２】
2005085730.tif 000014
【００４７】
【表１３】
2005085730.tif 000015
【００４８】
【表１４】
2005085730.tif 000016
【００４９】
【表１５】
2005085730.tif 000017
【００５０】
【表１６】
2005085730.tif 000018
【００５１】
【表１７】
2005085730.tif 000019
【００５２】
上記表３〜表１７から次のようなことが考察される。  
１）膜構造体と採光板のいずれも配置しない場合に比べて、膜構造体又は採光板の少なくともいずれか一つを配置した場合の方が、人工照明なしで太陽光を利用して労働安全衛生法の基準による粗な作業（７０ｌｘ以上）、普通の作業（１５０ｌｘ以上）、精密な作業（３００ｌｘ以上）の照度が得られる。  
２）膜構造体のみを用いた場合に比べて、膜構造体及び採光板の両方を用いた場合の方が、人工照明なしで太陽光を利用して労働安全衛生法の基準による粗な作業、普通の作業、精密な作業の照度が得られる。
【００５３】
なお、上記実施例１〜３では、膜構造体と採光板を設置した場合について述べたが、これに限らず、図４に示すように、建造物１１の各諧の北側部分に反射板２０を設置することにより、建造物１１の内部への採光量を一層増やすことができる。ここで、反射板２０の材質は、膜構造体の材質として同じでもよいし、［発明の実施の形態］で述べた他の材質を用いてもよい。
【００５４】
また、上記実施例１〜３では、建造物の直射日光が直接届かない側（例えば北側）に膜構造体や採光板を設置した場合について述べたが、これに限らず、図８のように建造物の南側、あるいはその他の方向側に設置しても、建造物内部への採光量を増やすことができる。
【００５５】
更に、上記実施例では、膜構造体と採光板を組み合わせた場合について述べたが、これに限らず、膜構造体と反射板とを組み合わせた場合でもよい。
【図面の簡単な説明】
【００５６】
【図１】太陽光から建物に直射日光が照射する場合の状態の説明図。
【図２】本発明の実施例１による採光装置を用いた場合の太陽光からの直射日光の照射状態を示す説明図。
【図３】本発明の実施例２による採光装置を用いた場合の太陽光からの直射日光の照射状態を示す説明図。
【図４】本発明の実施例３による採光装置を用いた場合の太陽光からの直射日光の照射状態を示す説明図。
【図５】本発明による採光装置を用いた場合の照射試験の状態を示す説明図。
【図６】本発明による採光装置を用いた場合の各階における照度を求める試験の仕方を示す説明図。
【図７】構造物の南側から太陽光からの直射日光が照射する場合の説明図。
【図８】本発明の実施例４による採光装置を用いた場合の太陽光からの直射日光の照射状態を示す説明図。
【図９】実施例２に係る採光装置において図５に示す投光装置を用いた場合の、１Ｆにおける照度と測定位置との関係を示す特性図。
【図１０】実施例２に係る採光装置において図５に示す投光装置を用いた場合の、２Ｆにおける照度と測定位置との関係を示す特性図。
【図１１】実施例２に係る採光装置において図５に示す投光装置を用いた場合の、３Ｆにおける照度と測定位置との関係を示す特性図。
【図１２】実施例２に係る採光装置において図５に示す投光装置を用いた場合の、４Ｆにおける照度と測定位置との関係を示す特性図。
【図１３】実施例２に係る採光装置において図５に示す投光装置を用いた場合の、５Ｆにおける照度と測定位置との関係を示す特性図。
【図１４】膜構造体のみを備えた採光装置における照度−透光率特性図。
【図１５】膜構造体及び採光板を備えた採光装置における照度−透光率特性図。
【符号の説明】
【００５７】
１１…建造物（構造物）、１２…直射日光、        １３…膜構造体、  
１４…支持体、          １５，１８…拡散透過光、１６…採光板、  
１７…天空光、          １９…拡散反射光、      ２０…反射板、  
２１…手すり、          ３１…木箱、            ３２…ハロゲンライト、  
３３…照度計測器。
【図１】
2005085730.tif 000020
【図２】
2005085730.tif 000021
【図３】
2005085730.tif 000022
【図４】
2005085730.tif 000023
【図５】
2005085730.tif 000024
【図６】
2005085730.tif 000025
【図７】
2005085730.tif 000026
【図８】
2005085730.tif 000027
【図９】
2005085730.tif 000028
【図１０】
2005085730.tif 000029
【図１１】
2005085730.tif 000030
【図１２】
2005085730.tif 000031
【図１３】
2005085730.tif 000032
【図１４】
2005085730.tif 000033
【図１５】
2005085730.tif 000034